(57)【要約】【課題】電力授受ビジネスを実行する運営者とユーザとの利益を容易に調整できる管理装置、管理方法、及びプログラムを提供する。【解決手段】管理装置（１００）は、定置用としてユーザに提供された二次電池（２０４）に蓄電された電力を管理し、前記二次電池と電力網（４００）を接続することで行われる電力授受ビジネスを実行する管理部（１３０）と、前記電力授受ビジネスによって得られた収益の一部を、前記ユーザに還元する還元情報を導出する導出部（１４０）と、を備える。【選択図】図１
2020119369.tif 000002
【特許請求の範囲】
【請求項１】
定置用としてユーザに提供された二次電池に蓄電された電力を管理し、前記二次電池と電力網を接続することで行われる電力授受ビジネスを実行する管理部と、
前記電力授受ビジネスによって得られた収益の一部を、前記ユーザに還元する還元情報を導出する導出部と、
を備える管理装置。
【請求項２】
前記導出部は、前記電力授受ビジネスの運営者が使用した前記二次電池の電力量に基づいて、前記還元情報を導出する、
請求項１に記載の管理装置。
【請求項３】
前記管理部は、前記二次電池に蓄電された電力を、前記電力授受ビジネスの運営者が使用する電力と前記ユーザが専用で使用する電力として管理する、
請求項１または２に記載の管理装置。
【請求項４】
前記管理部は、前記ユーザが専用で使用する電力の最大許容値を一定として、前記二次電池に蓄電された電力を管理する、
請求項３に記載の管理装置。
【請求項５】
前記導出部は、前記二次電池の劣化度合に基づいて、前記還元情報を調整する、
請求項１に記載の管理装置。
【請求項６】
前記導出部は、提供時における前記二次電池の劣化度合が低いほど、前記ユーザへの還元比率を低くする、
請求項５に記載の管理装置。
【請求項７】
前記導出部は、前記二次電池の設置期間が長いほど、前記ユーザへの還元比率を高くする、
請求項５または６に記載の管理装置。
【請求項８】
前記二次電池は、車載用として使用されていた二次電池である、
請求項１から７のいずれか１項に記載の管理装置。
【請求項９】
コンピュータが、
定置用としてユーザに提供された二次電池に蓄電された電力を管理し、前記二次電池と電力網を接続することで行われる電力授受ビジネスを実行し、
前記電力授受ビジネスによって得られた収益の一部を、前記ユーザに還元する還元情報を導出する、
管理方法。
【請求項１０】
コンピュータに、
定置用としてユーザに提供された二次電池に蓄電された電力を管理し、前記二次電池と電力網を接続することで行われる電力授受ビジネスを実行させ、
前記電力授受ビジネスによって得られた収益の一部を、前記ユーザに還元する還元情報を導出させる、
プログラム。
【発明の詳細な説明】
【技術分野】
【０００１】
本発明は、管理装置、管理方法、及びプログラムに関する。
【背景技術】
【０００２】
電気自動車に搭載される車載用の二次電池は、使用に伴って劣化して充電容量が低下する。車載用の二次電池は、劣化してその充電容量が低くなり、車載用の二次電池に要求される充電容量を満たさなくなると、電気自動車に搭載して使用することが適切でなくなる。このような劣化した二次電池であっても、電気自動車以外の用途としては使用できる場合もある。
【０００３】
劣化した二次電池を再利用するため、従来、車載用の二次電池の使用履歴に基づいて推定した二次電池の劣化度合により、二次電池に含まれる組電池を再利用可否判定の対象とするかリサイクル対象とするかを選別する技術がある（例えば、特許文献１参照）。ここで、リサイクル対象として選別されなかった組電池は、再利用可否判定の対象として利用される。
【先行技術文献】
【特許文献】
【０００４】
【特許文献１】特開２０１７−１３４８９４号公報
【発明の概要】
【発明が解決しようとする課題】
【０００５】
しかし、上記特許文献１に開示された技術では、劣化した車載用の二次電池を再利用するために組電池に解体する必要がある。このため、車載用の二次電池を再利用するためには手間がかかるものであった。また、例えば、車載用の二次電池をそのままユーザに無償譲渡して例えば充電器における定置用のバッテリとし、バッテリと電力網を接続することで行われる電力授受ビジネスに利用することが考えらえる。しかし、電力授受ビジネスを実行する運営者とユーザとの利益を調整するのが難しい。
【０００６】
本発明は、このような事情を考慮してなされたものであり、電力授受ビジネスを実行する運営者とユーザとの利益を容易に調整できる管理装置、管理方法、及びプログラムを提供することを目的の一つとする。
【課題を解決するための手段】
【０００７】
この発明に係る管理装置、管理方法、及びプログラムは、以下の構成を採用した。
（１）：この発明の一態様は、定置用としてユーザに提供された二次電池に蓄電された電力を管理し、前記二次電池と電力網を接続することで行われる電力授受ビジネスを実行する管理部と、前記電力授受ビジネスによって得られた収益の一部を、前記ユーザに還元する還元情報を導出する導出部と、を備える管理装置である。
【０００８】
（２）：上記（１）の態様において、前記導出部は、前記電力授受ビジネスの運営者が使用した前記二次電池の電力量に基づいて、前記還元情報を導出するものである。
【０００９】
（３）：上記（１）または（２）の態様において、前記管理部は、前記二次電池に蓄電された電力を、前記電力授受ビジネスの運営者が使用する電力と前記ユーザが専用で使用する電力として管理するものである。
【００１０】
（４）：上記（３）の態様において、前記管理部は、前記ユーザが専用で使用する電力の最大許容値を一定として、前記二次電池に蓄電された電力を管理するものである。
【００１１】
（５）：上記（１）の態様において、前記導出部は、前記二次電池の劣化度合に基づいて、前記還元情報を調整するものである。
【００１２】
（６）：上記（５）の態様において、前記導出部は、提供時における前記二次電池の劣化度合が低いほど、前記ユーザへの還元比率を低くするものである。
【００１３】
（７）：上記（５）または（６）の態様において、前記導出部は、前記二次電池の設置期間が長いほど、前記ユーザへの還元比率を高くするものである。
【００１４】
（８）：上記（１）から（７）のいずれかの態様において、前記二次電池は、車載用として使用されていた二次電池であるものである。
【００１５】
（９）：この発明の一態様は、コンピュータが、定置用としてユーザに提供された二次電池に蓄電された電力を管理し、前記二次電池と電力網を接続することで行われる電力授受ビジネスを実行し、前記電力授受ビジネスによって得られた収益の一部を、前記ユーザに還元する還元情報を導出する、管理方法である。
【００１６】
（１０）：この発明の一態様は、コンピュータに、定置用としてユーザに提供された二次電池に蓄電された電力を管理し、前記二次電池と電力網を接続することで行われる電力授受ビジネスを実行させ、前記電力授受ビジネスによって得られた収益の一部を、前記ユーザに還元する還元情報を導出させる、プログラムである。
【発明の効果】
【００１７】
（１）〜（１０）によれば、電力授受ビジネスを実行する運営者とユーザとの利益を容易に調整できる。
（２）、（５）〜（７）によれば、電力授受ビジネスに見合った収益をユーザに還元できる。
（３）によれば、ユーザが使用する電力を確保できる。
（４）によれば、ユーザが使用する十分な電力を確保できる。
（８）によれば、劣化した車載用の二次電池を容易に再利用することができる。
【図面の簡単な説明】
【００１８】
【図１】第１実施形態に係る管理装置１００の構成と使用環境の一例を示す図である。
【図２】バッテリデータの一例を示す図である。
【図３】劣化状態が低いバッテリの満充電状態を可視化した一例を示す図である。
【図４】劣化状態が中程度のバッテリの満充電状態を可視化した一例を示す図である。
【図５】劣化状態が高いバッテリの満充電状態を可視化した一例を示す図である。
【図６】満充電状態のバッテリからユーザ専用電力を放電した状態を可視化した一例を示すである。
【図７】満充電状態のバッテリから運営者優先電力を放電した状態を可視化した一例を示す図である。
【図８】管理装置１００の各部により実行される処理の流れの一例を示すフローチャートである。
【図９】第２実施形態のバッテリデータの一例を示す図である。
【図１０】バッテリ提供時の劣化度合に応じたユーザ還元比率の一例を示す図である。
【図１１】バッテリ設置期間に応じたユーザ還元比率の変化の一例を示す図である。
【図１２】ユーザ還元比率の推移の一例を示すグラフである。
【発明を実施するための形態】
【００１９】
以下、図面を参照し、本発明の管理装置、管理方法、及びプログラムの実施形態について説明する。以下の説明において、車両１０は、二次電池を搭載した電気自動車であるものとするが、車両１０は、外部から充電可能な車両であり、走行用の電力を供給する二次電池を搭載した車両であればよく、ハイブリッド自動車や燃料電池車両であってもよい。
【００２０】
[第１実施形態]
以下、第１実施形態について説明する。
【００２１】
[全体構成]
図１は、第１実施形態に係る管理装置１００の構成と使用環境の一例を示す図である。管理装置１００は、ユーザが所有する定置用バッテリ（以下の説明において「バッテリ」は「二次電池」と同義とする）２０４に蓄電された電力を電力事業者に売電した際に得られる収益を配分し、収益の一部をユーザに還元するための装置である。運営者は、複数の定置用バッテリ２０４についての管理を行い、複数のユーザに対してそれぞれ収益の一部を還元する。第１実施形態では、複数のユーザに対して、収益の一部を均等に還元する。
【００２２】
運営者は、例えば、電気自動車の販売及び管理装置１００により電力の管理を行う。車両１０は、運営者がユーザに販売したものであり、車載バッテリ１２を備える。定置用バッテリ２０４は、運営者が車両１０をユーザに販売した際に、定置用として運営者からユーザに無償で提供されたものである。定置用バッテリ２０４は、過去に車両に搭載されていた車載バッテリを転用したものであり、例えば、車載用として充電容量を満たさなくなったなどの理由から車載用としては適切でなくなったバッテリである。この車載バッテリを搭載していた車両はどのような車両でもよく、例えば、ユーザが運営者に下取りに出した車両でもよいし、その他の車両でもよい。
【００２３】
図１に示すように、管理装置１００は、複数の充電器２００及び複数の電力事業者４００と、ネットワークＮＷを介して通信する。ネットワークＮＷは、例えば、インターネット、ＷＡＮ（Wide Area Network）、ＬＡＮ（Local Area Network）、プロバイダ装置、無線基地局などを含む。
【００２４】
管理装置１００は、複数の充電器２００（図１では２００、２００−１、２００−２、２００−３、…であるが区別しないときには充電器２００と表記する）のそれぞれにより送信された情報に基づいて電力を管理する。管理装置１００は、ネットワークＮＷを介して複数の電力事業者４００と通信する。複数の充電器２００は、いずれもネットワークＮＷを介して複数の電力事業者４００と通信する。以下の説明においては、まず充電器２００について説明し、続いて、管理装置１００及び電力事業者４００について説明する。
【００２５】
[充電器２００]
充電器２００は、図１に示すように、筐体２０２と、定置用バッテリ２０４と、制御装置２０６と、ケーブル接続口２０８と、を備える。充電器２００には、送電線２４０が接続される。筐体２０２には、定置用バッテリ２０４及び制御装置２０６が内蔵されている。定置用バッテリ２０４は、筐体２０２に対して取り外し可能とされており、他のバッテリと交換可能である。充電器２００は定置型である。充電器２００は、例えば、車両１０を所有するユーザ宅２６０のガレージ等の近傍に設置される。充電器２００が設置されることにより、深夜電力の貯蔵活用を行うことができるため、ユーザは、安価な電気で車両１０への充電が可能となる。
【００２６】
定置用バッテリ２０４は、例えば、リチウムイオン電池などの二次電池である。定置用バッテリ２０４は、電力を蓄電し、電力を充放電可能である。定置用バッテリ２０４から放電される電力は、例えば、ユーザが所有する車両１０に対する充電、ユーザ宅２６０の家庭用として使用されたり、電力事業者４００に提供されたりする。
【００２７】
制御装置２０６は、車両１０、管理装置１００、及び電力事業者４００との間で通信可能である。制御装置２０６は、筐体２０２の外側に設けられた図示しない入力装置からの入力情報や車両１０、管理装置１００、及び電力事業者４００により提供される情報等に基づいて、定置用バッテリ２０４の放充電を制御する。
【００２８】
ケーブル接続口２０８は、筐体２０２の外側表面に開口して形成される。ケーブル接続口２０８には、充電ケーブル２２０が接続可能とされる。充電ケーブル２２０は、第１プラグ２２２及び第２プラグ２２４を備える。車両１０には、図示しない充電口が設けられる。第１プラグ２２２は、充電器２００のケーブル接続口２０８に接続され、第２プラグ２２４は、車両１０の充電口に接続される。
【００２９】
充電器２００に設けられた定置用バッテリ２０４と車両１０に搭載された車載バッテリ１２とは、互いに充放電可能である。例えば、定置用バッテリ２０４から放電される電力は、充電ケーブル２２０を介して車載バッテリ１２に充電される。車載バッテリ１２から放電される電力は、充電ケーブル２２０を介して定置用バッテリ２０４に充電される。
【００３０】
また、充電ケーブル２２０は、電力ケーブルに付設された信号ケーブルを含む。信号ケーブルは、車両１０と充電器２００の間における通信を仲介する。このため、第１プラグ２２２と第２プラグ２２４とのそれぞれには、電力コネクタと信号コネクタが設けられる。充電器２００は、ネットワークＮＷに接続可能であってもよい。
【００３１】
充電器２００は、送電線２４０を介してユーザ宅２６０及び電力事業者４００と接続される。定置用バッテリ２０４から放電される電力は、送電線２４０を介してユーザ宅２６０に供給される。ユーザ宅２６０では、提供された電力を家庭用の電力として使用する。定置用バッテリ２０４から放電される電力は、送電線２４０を介して電力事業者４００に供給される。定置用バッテリ２０４は、電力事業者４００により提供される電力を充電する。
【００３２】
[管理装置１００]
管理装置１００は、通信部１１０と、取得部１２０と、管理部１３０と、導出部１４０と、記憶部１５０と、を備える。取得部１２０、管理部１３０．及び導出部１４０は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置（非一過性記憶媒体）に格納されていてもよいし、ＤＶＤやＣＤ−ＲＯＭなどの着脱可能な記憶媒体（非一過性記憶媒体）に格納されており、記憶媒体がドライブ装置に装着されることでインストールされてもよい。記憶部１５０は、前述した記憶装置により実現される。
【００３３】
通信部１１０は、ＮＩＣなどの通信インターフェースを含む。通信部１１０は、ネットワークＮＷを介して複数の充電器２００及び電力事業者４００との間で情報の送受信を行う。通信部１１０は、例えば、複数の充電器２００によりそれぞれ送信される充電情報を受信する。通信部１１０は、電力事業者４００により送信される電力要求情報及び充電完了情報を受信する。
【００３４】
電力要求情報は、電力事業者４００が電力を要する旨に関する情報である。電力要求情報には、例えば、電力事業者４００が要求する電力（以下「要求電力」という）の量に関する情報が含まれる。充電完了情報は、例えば、電力事業者４００が電力要求情報に応じた電力の充電が完了した旨に関する情報である。充電完了情報には、例えば、電力要求情報に応じて受電した電力の供給元となる充電器２００を特定するための情報及び電力要求情報に応じて受電した電力量に関する情報が含まれる。通信部１１０は、受信した各種の情報を取得部１２０に出力する。通信部１１０は、電力事業者４００に供給可能情報や供給不可情報を送信する。
【００３５】
管理装置１００による処理が行われる前提として、複数の充電器２００は、それぞれ制御装置２０６によって定置用バッテリ２０４の電圧やＳＯＣなどを含む充電情報を生成し、生成した充電情報を管理装置１００に送信する。充電情報には、定置用バッテリ２０４の電圧などの情報のほか、定置用バッテリ２０４が放電した場合の放電指示主体に関する情報が含まれる。放電指示主体は、例えば、ユーザまたは電力事業者４００である。
【００３６】
充電器２００は、所定時間ごと、例えば１日ごとに充電情報を管理装置１００に送信してもよいし、ユーザの指示に基づいて充電情報を管理装置１００に送信してもよいし、管理装置１００の要求に応じて充電情報を管理装置１００に送信してもよい。充電器２００は、定置用バッテリ２０４の充電または放電を開始したときや終了したときに充電情報を管理装置１００に送信してもよい。充電器２００は、これらのタイミングのうち、いずれか複数で充電情報を管理装置１００に送信するようにしてもよい。
【００３７】
取得部１２０は、通信部１１０により出力される各種の情報を取得する。取得部１２０は、取得した各種の情報を管理部１３０に出力する。
【００３８】
管理部１３０は、定置用バッテリ２０４に蓄電された電力を管理している。管理部１３０は、電力授受ビジネスを実行する。電力授受ビジネスは、例えば、Ｖ２Ｇ（Vehicle to Grid）やＶ２Ｈ（Vehicle to Home）であり、定置用バッテリ２０４と電力網に含まれる電力事業者４００を接続することで行われる。管理部１３０は、定置用バッテリ２０４の電力を管理するにあたり、定置用バッテリ２０４に蓄電された電力を、運営者が優先して使用する電力（以下「運営者優先電力」という）とユーザが専用で使用する電力（以下「ユーザ専用電力」という）として管理する。
【００３９】
管理部１３０は、ユーザ専用電力の最大許容値を一定として定置用バッテリ２０４に蓄電された電力を管理する。管理部１３０は、定置用バッテリ２０４に蓄電された電力において、ユーザ専用電力の最大許容値ユーザが使用できる電力として保証する。このため、ユーザ専用電力は、ユーザ保証電力といえる。管理部１３０は、定置用バッテリ２０４に蓄電された電力のうち、ユーザ保証電力を超える分の電力を運営者優先電力として利用して電力授受ビジネスを実行して収益を得る。
【００４０】
管理部１３０は、取得部１２０により出力された充電情報等に基づいて、記憶部１５０に記憶されたバッテリデータ１５２を更新し、記憶部１５０に格納する。図２は、バッテリデータ１５２の一例を示す図である。バッテリデータ１５２には、バッテリＩＤ、提供時劣化度合、提供年月、推定充電容量、ユーザ専用電力、運営者優先電力、売電電力、ユーザ還元比率の各項目が含まれる。
【００４１】
バッテリＩＤは、図１に示す充電器２００，２００−１，２００−２，２００−３…のそれぞれに付された独自のＩＤである。提供時劣化度合は、運営者がユーザに提供したときにおける定置用バッテリ２０４の劣化度合である。提供時劣化度合は、ＬＶ１〜ＬＶ５で表され、劣化が激しいほどＬＶが大きくなる。例えば、提供時劣化度合がＬＶ２であるバッテリは、提供時劣化度合がＬＶ１であるバッテリよりも劣化が激しく、提供時劣化度合がＬＶ３であるバッテリは、提供時劣化度合がＬＶ２であるバッテリよりも劣化が激しい。提供時劣化度合がＬＶ５であるバッテリは、劣化が最も激しいバッテリである。定置用バッテリ２０４の充電容量は、バッテリ劣化度合におおよそ比例し、バッテリ劣化度合いが高いほど充電容量が少なくなる。
【００４２】
バッテリの劣化度合は、例えば、バッテリが使用された期間、バッテリの放充電の回数、バッテリが放充電した電力の総量等に基づいて算出される。例えば、使用期間が長いバッテリの方が、使用期間が短いバッテリよりも劣化度合は激しくなる。また、バッテリの放充電の回数が多いバッテリは、バッテリの放充電の回数が少ないバッテリよりも劣化度合は激しくなる。
【００４３】
図３〜図５は、定置用バッテリ２０４に蓄電された電力のうち、ユーザ専用電力と運営者優先電力との割合を可視化した図である。図３は、劣化度合が低い定置用バッテリにおけるユーザ専用電力と運営者優先電力との割合である。図４は、劣化度合が中程度の定置用バッテリにおけるユーザ専用電力と運営者優先電力との割合である。図５は、劣化度合が高い定置用バッテリにおけるユーザ専用電力と運営者優先電力との割合である。
【００４４】
図３〜図５に示すように、これらの定置用バッテリ２０４に蓄電された電力のうち、ユーザ専用電力は互いに一定であり、劣化度合に応じて運営者優先電力の量が変動する。図３に示すように、劣化度合が低い定置用バッテリ２０４の場合には、運営者優先電力が多くなる。図４に示すように、劣化度合が中程度である定置用バッテリ２０４の場合には、運営者優先電力が中程度となる。図５に示すように、劣化度合が高い定置用バッテリ２０４の場合には、運営者優先電力が少なくなる。
【００４５】
運営者優先電力は、運営者が優先して使用できる電力であるが、運営者が使用していない場合には、ユーザが使用することもできる。このため、定置用バッテリ２０４に蓄電されたすべての電力は、運営者が使用していない場合には、ユーザが使用可能な電力である。なお、ユーザ専用電力をユーザが使用する場合には、運営者からユーザに対して課金されないが、運営者優先電力をユーザが使用する場合には、運営者からユーザに対して課金される。ユーザが定置用バッテリ２０４に蓄電された電力を使用する場合には、ユーザ専用電力が優先的に使用され、ユーザ専用電力による電力の供給ができなくなった場合に、運営者優先電力が使用される。
【００４６】
提供年月は、運営者がユーザに定置用バッテリ２０４を提供した年月である。例えば、バッテリＩＤが０００１である定置用バッテリ２０４は、平成２９年２月に運営者がユーザに提供したものである。推定充電容量は、バッテリの放充電状態や使用年数に基づいて算出されて推定された充電容量であり、満充電状態にある定置用バッテリ２０４に蓄電された電力とほぼ同量である。
【００４７】
定置用バッテリ２０４に蓄電された電力の総量の一部がユーザ専用電力となり、定置用バッテリ２０４に蓄電された電力の総量のその他の部分が運営者優先電力となる。ユーザ専用電力及び運営者優先電力は、例えば、充電器２００により送信される充電情報に基づいて算出されて更新される。
【００４８】
売電電力は、電力授受ビジネスを行い、定置用バッテリ２０４から放電された電力が電力事業者４００に提供されて販売された電力である。ユーザ還元比率は、電力を販売することによって得られた収益のうち、ユーザに還元する収益の比率を示す。第１実施形態では、ユーザ還元比率は、一律２０％である。
【００４９】
管理部１３０は、運営者がユーザに新たに定置用バッテリ２０４を提供した場合に、そのバッテリに新たなバッテリＩＤを付すとともに、そのバッテリについてのバッテリＩＤ、提供時劣化度合、提供年月、及び推定充電容量（初期値）をバッテリデータ１５２に追加する。こうして、管理部１３０は、複数の定置用バッテリ２０４についての管理を行うとともに、新たに定置用バッテリ２０４がユーザに提供された場合に、バッテリデータ１５２のデータを追加する。
【００５０】
管理部１３０は、定置用バッテリ２０４により送信された充電情報に基づいて、定置用バッテリ２０４における放充電の回数や放充電の総量を算出する。管理部１３０は、定置用バッテリ２０４を提供してから経過した年月、及び充電情報に基づいて算出した定置用バッテリ２０４における放充電の回数や放充電の総量等に基づいて、定置用バッテリ２０４の推定充電容量を算出する。管理部１３０は、推定充電容量の算出結果に基づいて、バッテリデータ１５２における推定充電容量を更新し、記憶部１５０に格納する。
【００５１】
管理部１３０は、充電器２００により送信された充電情報に基づいて、ユーザ専用電力及び運営者優先電力を更新する。例えば、管理部１３０は、バッテリデータ１５２として記憶している推定充電容量と、充電器２００により送信された充電情報と、に基づいて、定置用バッテリ２０４に蓄電された電力を算出する。
【００５２】
例えば、今回送信された充電情報に基づいて算出された電力が前回送信された充電情報に基づいて算出された電力よりも小さい場合、バッテリデータ１５２として記憶しているユーザ専用電力と運営者優先電力の和が減少する。この場合、管理部１３０は、充電情報に含まれる放電指示主体を確認する。
【００５３】
管理部１３０は、充電情報に含まれる放電指示主体がユーザである場合には、電力の減少分をユーザ専用電力から減算し、放電指示主体が電力事業者４００である場合には、電力の減少分を運営者優先電力から減算する。管理部１３０は、ユーザ専用電力または運営者優先電力が減少した場合に、バッテリデータ１５２における減少したユーザ専用電力または運営者優先電力を更新し、記憶部１５０に格納する。
【００５４】
図６は、定置用バッテリ２０４に蓄電された電力からユーザ専用電力を使用した状態を可視化した図である。図７は、定置用バッテリ２０４に蓄電された電力から運営者優先電力を使用した状態を可視化した図である。図６に示すように、定置用バッテリ２０４に蓄電された電力からユーザ専用電力を使用した場合には、ユーザ専用電力が減少し、運営者優先電力は減少しない。一方、図７に示すように、定置用バッテリ２０４に蓄電された電力から運営者優先電力を使用した場合には、運営者優先電力が減少し、ユーザ専用電力は減少しない。
【００５５】
管理部１３０は、電力事業者４００により電力要求情報が送信された場合に、電力要求情報に基づく要求電力と複数の充電器２００，２００−１，２００−２，２００−３…における定置用バッテリ２０４に蓄電された運営者優先電力の総量を比較する。管理部１３０は、運営者優先電力の総量が、電力要求情報に基づく要求電力より多い場合に、供給可能情報を通信部１１０に出力する。供給可能情報には、電力を供給可能な充電器２００及び各充電器２００が供給可能な電力量の情報が含まれる。管理部１３０は、運営者優先電力の総量が電力要求情報に基づく要求電力より少ない場合に、供給不可情報を通信部１１０に出力する。
【００５６】
管理部１３０は、電力事業者４００により送信される充電完了情報に基づいて、売電電力を求める。管理部１３０は、バッテリデータ１５２における売電電力を更新する。管理部１３０は、バッテリデータ１５２における売電電力及びユーザ還元比率を導出部１４０に出力する。
【００５７】
導出部１４０は、管理部１３０により出力された売電電力及びユーザ還元比率に基づいて、還元情報を導出する。還元情報は、電力授受ビジネスによって得られた収益の一部をユーザに還元する際の、その収益の一部を示す情報である。導出部１４０は、管理部１３０により出力された売電電力に電力単価を乗じて、電力授受ビジネスによって得られた収益を算出する。電力単価は、記憶部１５０が予め記憶しておいてもよいし、電力事業者４００等により提供されるものでもよい。
【００５８】
導出部１４０は、算出した収益にユーザ還元比率を乗じて還元情報を生成する。導出部１４０は、例えば、導出した還元情報を記憶部１５０に記憶させる。あるいは、導出部１４０は、導出した還元情報を、図示しない表示装置や印刷装置などに出力し、表示装置に表示させたり印刷装置に印刷させたりする。導出部１４０は、還元情報をユーザや電力事業者４００、あるいは他の第三者に提供したり、金融機関を介してユーザに支払いを行うためのデータとして用いたりしてもよい。
【００５９】
[電力事業者４００]
電力事業者４００は、需要家に対して電力を供給するサービスを提供する。電力事業者４００は、例えば、送電線２４０を介して、充電器２００に電気を供給したり、充電器２００から電気の供給を受けたりする。電力事業者４００は、電力の供給を受けたい場合に、管理装置１００に電力要求情報を送信する。電力事業者４００は、電力要求情報を受信した管理装置１００が送信した供給可能情報に基づいて、充電器２００から電力の供給を受ける。
【００６０】
次に、管理装置１００における処理について説明する。図８は、管理装置１００において実行される処理の流れの一例を示すフローチャートである。取得部１２０は、電力事業者４００により送信される電力要求情報を取得したか否かを判定する（ステップＳ１１０）。電力情報を取得していないと判定した場合、管理装置１００は、図８に示す処理を終了する。
【００６１】
電力要求情報を取得したと判定した場合、管理装置１００は、複数の充電器２００に対して充電情報を送信するように求める。取得部１２０は、管理装置１００の求めに応じて複数の充電器２００により送信された充電情報を取得する（ステップＳ１２０）。続いて、管理部１３０は、複数の充電器２００により送信された充電情報に基づいて、運営者優先電力の総量を算出する。
【００６２】
続いて、管理部１３０は、運営者優先電力の総量が要求電力を超えているか否かを判定する（ステップＳ１３０）。運営者優先電力の総量が要求電力を超えていると判定した場合、管理部１３０は、供給可能情報を生成し、管理装置１００は、供給可能情報を通信部１１０から電力事業者４００に送信する（ステップＳ１４０）。電力事業者４００は、管理装置１００により送信された供給可能情報に基づいて、複数の充電器２００から電力の供給を受ける。電力の供給を受けた電力事業者４００は、管理装置１００に充電完了情報を送信する。
【００６３】
管理装置１００が供給可能情報を送信した後、管理部１３０は、電力事業者４００により送信される充電完了情報を受信したか否かを判定する（ステップＳ１５０）。充電完了情報を受信していないと判定した場合、管理部１３０は、ステップＳ１５０の処理を繰り返す。
【００６４】
充電完了情報を受信したと判定した場合、管理部１３０は、通信部１１０が受信した充電完了情報に基づいて売電電力を求めて更新する（ステップＳ１６０）。続いて、導出部１４０は、管理部１３０により更新された売電電力に基づいて、電力授受ビジネスによって得られた収益を算出する（ステップＳ１７０）。続いて、導出部１４０は、算出した収益に管理部１３０により出力されたユーザ還元比率を乗じて、電力授受ビジネスによって得られた収益の一部を、ユーザに還元する還元情報を導出する（ステップＳ１８０）。こうして、管理装置１００は、図８に示す処理を終了する。
【００６５】
また、ステップＳ１３０において、運営者優先電力の総量が要求電力を超えていないと判定した場合、管理部１３０は、供給不可情報を生成し、管理装置１００は、管理部１３０が生成した供給不可情報を電力事業者４００に送信する（ステップＳ１９０）。こうして、管理装置１００は、図８に示す処理を終了する。
【００６６】
以上説明した実施形態によれば、管理装置１００は、充電器２００と電力事業者４００を接続することで行われる電力授受ビジネスを実行し、電力授受ビジネスによって得られた収益の一部をユーザに還元する還元情報を導出する。このため、電力授受ビジネスによって得られた収益のうち、ユーザに還元する分を容易に導出できるので、電力授受ビジネスを実行する運営者とユーザとの利益を容易に調整できる。
【００６７】
また、定置用バッテリ２０４は、車載バッテリをそのまま定置用バッテリ２０４としたものである。このため、車載バッテリに要求される充電容量を満たさなくなるなど、電気自動車に搭載して使用することが適切でなくなった車載バッテリを定置用として再利用することができる。したがって、劣化した車載バッテリを容易に再利用することができる。
【００６８】
また、定置用バッテリ２０４は、運営者がユーザに販売した車両１０に無償で提供されたものである。例えば、劣化した車載バッテリは、車載用としては難しいものの、他の用途、例えば充電器２００における定置用のバッテリとして利用することはできる。そこで、運営者は、劣化した車載バッテリを定置用としてユーザに販売することが考えられる。しかし、ユーザは、劣化した車載バッテリに価値を見出すことが難しいため、購入を躊躇することが考えられる。
【００６９】
そこで、運営者は、例えば、車両を購入したユーザに劣化した車載バッテリを無償で提供することが考えられる。ユーザは、購入するには価値が見出しにくい劣化した車載バッテリであっても、無償であれば定置用として受け入れる可能性は高くなる。しかし、単に車載バッテリを無償で提供する場合には、運営者の利益が少なくなる。
【００７０】
この点、第１実施形態の管理装置１００は、無償で提供した車載バッテリを利用して電力授受ビジネスを実行するので、運営者に利益をもたらすことができる。さらに、管理装置１００は、運営者の利益の一部をユーザに還元するので、運営者とユーザの利益を容易に調整できる。
【００７１】
［第２実施形態］
以下、本発明の第２実施形態について説明する。
【００７２】
第２実施形態の管理装置１００は、第１実施形態の管理装置１００と同様の構成を備えている。第２実施形態の管理装置１００では、記憶部１５０に記憶されたバッテリデータ１５２におけるユーザ還元比率が異なっている。以下、第１実施形態との相違点を中心として第２実施形態について説明する。第１実施形態では、複数の充電器２００のそれぞれにおいて、ユーザ還元比率は一律的に２０％であり、運営者は、複数のユーザに対して、収益の一部を均等に還元していた。これに対して、第２実施形態では、複数の充電器２００ごとにユーザ還元比率が異なり、収益の一部を還元する割合は、ユーザごとに異なる。
【００７３】
図９は、第２実施形態のバッテリデータの一例を示す図である。管理部１３０は、記憶部１５０に記憶されたバッテリデータ１５２を更新するにあたり、定置用バッテリ２０４ごとにユーザ還元比率を更新する。このため、図９に示すバッテリデータ１５２においては、バッテリＩＤが異なる定置用バッテリ２０４ごとに、異なるユーザ還元比率が設定されている。
【００７４】
管理部１３０は、定置用バッテリ２０４の提供時劣化度合及び設置期間に基づいて、ユーザ還元比率を更新する。管理部１３０は、図１０に示すように、定置用バッテリ２０４の提供時劣化度合が低い場合には、ユーザ還元比率を低くする。管理部１３０は、定置用バッテリ２０４の提供時劣化度合が中程度の場合には、ユーザ還元比率を中程度とする。管理部１３０は、定置用バッテリ２０４の提供時劣化度合が高い場合には、ユーザ還元比率を高くする。
【００７５】
管理部１３０は、例えば、提供時劣化度合がＬＶ１である定置用バッテリ２０４に対して１９．０％、提供時劣化度合がＬＶ２である定置用バッテリ２０４に対して１９．５％のユーザ還元比率を設定する。管理部１３０は、提供時劣化度合がＬＶ３である定置用バッテリ２０４に対して２０．０％、提供時劣化度合がＬＶ４である定置用バッテリ２０４に対して２０．５％、提供時劣化度合がＬＶ５である定置用バッテリ２０４に対して２１．０％のユーザ還元比率を設定する。
【００７６】
管理部１３０は、図１１に示すように定置用バッテリ２０４の設置期間が短い場合には、ユーザ還元比率を低くする。管理部１３０は、定置用バッテリ２０４の設置期間が中程度の場合には、ユーザ還元比率を中程度とする。定置用バッテリ２０４の設置期間が長い場合には、ユーザ還元比率を高くする。
【００７７】
管理部１３０は、例えば、５年間を経過するごとにユーザ還元比率を０．５％上昇させることで、定置用バッテリ２０４の設置期間が長いほどユーザ還元比率を高くする。管理部１３０は、ユーザ還元比率の下限値を１８．０％、上限値を２２．０％とする。管理部１３０は、計算上、ユーザ還元比率が２２．０％を上回った場合には、ユーザ還元比率を２２．０％とし、ユーザ還元比率が１８．０％を下回った場合には、ユーザ還元比率を１８．０％とする。
【００７８】
図１２は、定置用バッテリ２０４の設置期間に応じたユーザ還元比率の変化の一例を示す図である。例えば、時期ｎ１１に提供時劣化度合が中程度の定置用バッテリ２０４が提供され、時期ｎ２１に提供時劣化度合が高い定置用バッテリ２０４が提供され、時期ｎ３１に提供時劣化度合が低い定置用バッテリ２０４が提供されたとする。以下、図１２の説明においては、時期ｎ１１に提供された定置用バッテリ２０４を第１バッテリ、時期ｎ２１に提供された定置用バッテリ２０４を第２バッテリ、時期ｎ３１に提供された定置用バッテリ２０４を第３バッテリという。第１バッテリ、第２バッテリ、及び第３バッテリの設置期間に応じたユーザ還元比率の変化を、それぞれグラフＬ１０，Ｌ２０，Ｌ３０で示す。
【００７９】
グラフＬ１０に示されるように、提供時劣化度合が中程度の第１バッテリのユーザ還元比率は、設置期間が長くなると上昇し、時期ｎ１２でユーザ還元比率の上限値に到達する。第１バッテリのユーザ還元比率は、ユーザ還元比率の上限値に到達した後には一定となる。
【００８０】
グラフＬ２０に示されるように、提供時劣化度合が高い第２バッテリの提供時のユーザ還元比率は、第１バッテリの提供時のユーザ還元比率よりも高い。第２バッテリのユーザ還元比率は、設置期間が長くなると上昇し、時期ｎ２２でユーザ還元比率の上限値に到達する。第２バッテリのユーザ還元比率が上限値に到達する時期は、第２バッテリのユーザ還元比率が上限値に到達する時期よりも早い。
【００８１】
グラフＬ３０に示されるように、提供時劣化度合が低い第３バッテリの提供時のユーザ還元比率は、第２バッテリの提供時のユーザ還元比率よりも低い。第３バッテリのユーザ還元比率は、設置期間が長くなると上昇する。図１２においては、第３バッテリのユーザ還元比率は上限値に到達していないが、さらに設置期間が長くなった場合には、第３バッテリのユーザ還元比率が上限値に到達する。
【００８２】
第２実施形態の管理装置１００では、定置用バッテリ２０４におけるユーザ還元比率が定置用バッテリ２０４ごとに異なる。このため、定置用バッテリ２０４の個々の性能に応じた還元比率でユーザに収益の一部を提供できる。例えば、定置用バッテリ２０４も車載バッテリ１２と同様、使用によって劣化し、充電容量が低下するので、使用可能期間が限られている。
【００８３】
第２実施形態の管理装置１００では、提供時劣化度合が低いほどユーザ還元比率を低くしている。このため、電力を供給できる期間が長い定置用バッテリ２０４に対して低い割合で収益をユーザに還元するので、電力授受ビジネスで得た収益をユーザに適切に還元できる。第２実施形態の管理装置１００では、定置用バッテリ２０４の設置期間が長いほどユーザ還元比率を高くしている。このため、長い期間の電力を供給してきた定置用バッテリ２０４に対して高い割合で収益をユーザに還元できるので、電力授受ビジネスで得た収益をユーザに適切に還元できる。
【００８４】
なお、上記の各実施形態では、運営者は、例えば、電気自動車の販売及び管理装置１００により電力の管理を行い、運営者がユーザにバッテリを提供するが、運営者は、電気自動車の販売を行う者でなくてもよい。また、運営者とバッテリの提供者は異なる者であってもよい。
【００８５】
また、上記の各実施形態では、定置用バッテリ２０４に蓄電される電力を運営者優先電力とユーザ専用電力に分けているが、ユーザ専用電力を設けることなく、運営者優先電力のみとしてもよい。ユーザ専用電力を設定する場合、ユーザに提供されるバッテリは、提供時における充電容量がユーザ専用電力以上であるバッテリに限定されてもよい。
【００８６】
また、上記の各実施形態では、運営者優先電力をユーザが使用可能とされているが、運営者優先電力は、ユーザが使用できないようにしてもよい。また、上記の各実施形態では、ユーザが定置用バッテリ２０４に蓄電された電力を使用する場合に、ユーザ専用電力が使用されるようにしているが、ユーザ専用電力と運営者優先電力のいずれを使用するかをユーザが選択して指示できるようにしてもよい。
【００８７】
また、ユーザの指示等に基づいて、運営者優先電力をユーザ専用電力に移行できるようにしてもよい。ユーザが運営者優先電力を使用する場合やユーザ専用電力に移行する場合には、例えば、運営者がユーザに課金するようにしてもよい。この場合、ユーザが運営者優先電力を使用する場合には、他の電力事業者等に電力を供給する場合よりも低廉な価格とするなど、適宜価格を調整してもよい。
【００８８】
また、上記の各実施形態では、運営者がユーザに定置用バッテリ２０４を無償で提供しるが、有償で提供してもよい。また、運営者がユーザに定置用バッテリ２０４で提供する代わりに、貸与（いわゆるリース）するようにしてもよい。
【００８９】
また、上記の第２実施形態では、管理部１３０は、ユーザ還元比率の上昇割合は定置用バッテリ２０４の設置期間によらずに一定であるが、定置用バッテリ２０４の設置期間に応じて、ユーザ還元比率の上昇割合を変動させてもよい。例えば、管理部１３０は、設置期間が長いほど、ユーザ還元比率の上昇割合が低くなるようにしてもよい。管理部１３０は、ユーザ還元比率を低下させるようにしてもよく、例えば、定置用バッテリ２０４の設置期間が長期にわたった場合には、ユーザ還元比率を低下させるようにしてもよい。
【００９０】
上記の各実施形態では、ユーザに定置用バッテリを提供する条件については特に規定していないが、所定の条件を規定してもよい。例えば、バッテリの提供者は、提供者が販売する車両を買い替えたユーザにのみ定置用バッテリを提供してもよい。また、提供者は、ユーザが購入した車両の価格に応じて、劣化度合が異なるバッテリをユーザに提供してもよい。例えば、提供者は、ユーザが購入した車両の価格が高価であるほど、劣化度合が低いバッテリを定置用バッテリとしてユーザに提供するようにしてもよい。
【００９１】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００９２】
１０…車両
１２…車載バッテリ
１００…管理装置
１１０…通信部
１２０…取得部
１３０…管理部
１４０…導出部
２００…充電器
２０２…筐体
２０４…定置用バッテリ
２０６…制御装置
２０８…ケーブル接続口
２２０…充電ケーブル
２４０…送電線
２６０…ユーザ宅
４００…電力事業者
【図１】
2020119369.tif 000003
【図２】
2020119369.tif 000004
【図３】
2020119369.tif 000005
【図４】
2020119369.tif 000006
【図５】
2020119369.tif 000007
【図６】
2020119369.tif 000008
【図７】
2020119369.tif 000009
【図８】
2020119369.tif 000010
【図９】
2020119369.tif 000011
【図１０】
2020119369.tif 000012
【図１１】
2020119369.tif 000013
【図１２】
2020119369.tif 000014